(57)【要約】【課題】  喫煙回数の入力に必要な手間を低減でき、且つ正確な情報に基づいたフィードバックが可能な喫煙管理システムを提供する。【解決手段】  喫煙管理システム１００は、喫煙者２による喫煙具１の使用を検知して喫煙検出情報を生成し、無線データとして送信する喫煙検出装置１０と、喫煙者２の所定期間内の喫煙回数を含む喫煙履歴情報と喫煙者２の所定期間内の設定喫煙回数を含む喫煙設定情報とを少なくとも対応させて記憶する記憶手段と、喫煙検出装置１０から喫煙検出情報を受信すると、記憶手段から喫煙履歴情報を読み出して喫煙履歴情報を更新する更新手段と、喫煙履歴情報の所定期間内の喫煙回数が設定喫煙回数に達したとき又は超えたときにはアラームを発生するアラーム発生手段とを有する携帯無線端末機２０とを備える。【選択図】  図１
2006277365.tif 000002
【特許請求の範囲】
【請求項１】
喫煙者による喫煙具の使用を検知して喫煙検出情報を生成し、無線データとして送信する喫煙検出情報生成手段と、
喫煙者の所定期間内の喫煙回数を含む喫煙履歴情報と該喫煙者の前記所定期間内の設定喫煙回数を含む喫煙設定情報とを少なくとも対応させて記憶する記憶手段と、前記喫煙検出情報生成手段から喫煙検出情報を受信すると、前記記憶手段から前記喫煙履歴情報を読み出して該喫煙履歴情報を更新する更新手段と、前記喫煙履歴情報の所定期間内の喫煙回数が前記設定喫煙回数に達したとき又は超えたときにはアラームを発生するアラーム発生手段とを有する携帯無線端末機と、
を備えることを特徴とする喫煙管理システム。
【請求項２】
前記喫煙検出情報をキャンセルするためのデクリメント情報を生成するデクリメント情報生成手段を更に備える、請求項１に記載の喫煙管理システム。
【請求項３】
喫煙者による喫煙具の使用を検知して喫煙検出情報を生成し、無線データとして送信する喫煙検出情報生成手段と、
前記喫煙検出情報を受信すると、該喫煙検出情報に喫煙者ＩＤ情報を付加し、ネットワークを経由して送信する携帯無線端末機と、
喫煙者と、該喫煙者の所定期間内の喫煙回数を含む喫煙履歴情報と、前記喫煙者の前記所定期間内の設定喫煙回数を含む喫煙設定情報とを少なくとも対応させて記憶するデータベースを保有し、前記ネットワークを経由して携帯無線端末機から喫煙検出情報及び喫煙者ＩＤ情報を受信すると、該喫煙者ＩＤに基づいて前記データベースを検索する検索手段を有するサーバとを備え、
前記サーバは、前記喫煙検出情報に基づいて、前記喫煙履歴情報を更新する履歴情報更新手段と、該喫煙履歴情報の所定期間内の喫煙回数が前記設定喫煙回数に達したとき又は超えたときには、前記喫煙検出情報を送信した携帯無線端末機に向けてアラームを送信するアラーム送信手段とを有することを特徴とする喫煙管理システム。
【請求項４】
前記携帯無線端末機は、前記喫煙者ＩＤ情報と共に送信した喫煙検出情報をキャンセルするためのデクリメント情報を生成し、前記喫煙者ＩＤと共に前記サーバに送信するデクリメント情報生成手段を備え、前記サーバは、該デクリメント情報を受信すると、前記喫煙者ＩＤに基づいて前記データベースを検索し、前記受信したデクリメント情報に基づいて前記喫煙履歴情報を修正する、請求項３に記載の喫煙管理システム。
【請求項５】
前記サーバは、前記喫煙検出情報を受信した時刻を記憶しており、前記喫煙検出情報を新たに受信すると、該新たに喫煙検出情報を受信した時刻と、１つ前に喫煙検出情報を受信した時刻との間の時間間隔を演算する演算手段と、該演算手段により演算された時間間隔と前記喫煙設定情報に含まれる設定時間間隔とを比較する比較手段とを有し、前記アラーム送信手段は、前記比較手段による比較結果に基づいてアラームを携帯無線端末機に送信する、請求項３又は４に記載の喫煙管理システム。
【請求項６】
所定位置に配置され、該所定位置が禁煙指定区域に含まれるか否かを示す禁煙指定情報を発信する禁煙指定情報生成手段を更に備えており、前記携帯無線端末機は、前記禁煙指定情報及び喫煙検出情報を受信すると、アラームを発生する、請求項１〜５の何れか一に記載の喫煙管理システム。
【請求項７】
前記携帯無線端末機が、自身の現在地を取得する位置検出機能を備え、前記喫煙検出情報及び喫煙者ＩＤ情報に加えて自身の現在地情報を送信し、
前記データベースが禁煙指定区域の情報を記憶しており、
前記サーバは、前記喫煙検出情報及び現在地情報を受信すると、前記データベースを検索し、前記アラーム手段は、携帯無線端末機の現在地が禁煙指定区域に含まれる場合には、前記携帯無線端末機に向けてアラームを送信する、請求項３〜５の何れか一に記載の喫煙管理システム。
【請求項８】
所定位置に配置され、該所定位置が禁煙指定区域に含まれるか否かを示す禁煙指定情報を無線データとして発信する禁煙指定情報生成手段と、
喫煙者による喫煙具の使用を検知して喫煙検出情報を生成し、無線データとして送信する喫煙検出情報生成手段と、
前記禁煙指定情報を受信中に前記喫煙検出情報を受信するとアラーム発生するアラーム手段を備える携帯無線端末機と、
を備えることを特徴とする喫煙管理システム。
【請求項９】
喫煙者による喫煙具の使用を検知して喫煙検出情報を生成し、無線データとして送信する喫煙検出情報生成手段と、
自身の現在地を取得する位置検出機能を有し、前記喫煙検出情報を受信すると、該喫煙検出情報に自身の現在地を付加して、ネットワークを経由して送信する携帯無線端末機と、
禁煙指定区域に関する情報を持つ地図情報を記憶するデータベースを保有し、前記ネットワークを経由して携帯無線端末機から喫煙検出情報及び現在地情報を受信すると、前記現在地情報に基づいてデータベースを検索する検索手段を有するサーバとを備え、
前記サーバは、前記携帯無線端末機の現在地が禁煙指定区域に含まれるか否かを判定する判定手段と、該判定手段による判定結果に従って、前記喫煙検出情報及び現在地情報を送信した携帯無線端末機に向けてアラームを送信するアラーム送信手段とを備えることを特徴とする喫煙管理システム。
【発明の詳細な説明】
【技術分野】
【０００１】
本発明は、喫煙管理システムに関し、更に詳細には、携帯無線端末機を利用した喫煙管理システムに関する。
【背景技術】
【０００２】
近年、喫煙の健康に対する影響が認識され、禁煙者が増加すると共に、喫煙者の間でも喫煙状況を管理する必要を感じる人が増加している。特許文献１は、ユーザである喫煙者の喫煙状況の管理を行う、従来の喫煙管理システムの一例を記載している。同文献によれば、喫煙管理システムは、記憶手段及び演算手段を備えるコンピュータとして構成され、喫煙者の喫煙回数や銘柄等の喫煙情報を記憶手段に蓄積する。また、蓄積された喫煙情報に基づいて、演算手段が定期的に報告書を生成し、喫煙者にフィードバックしている。
【特許文献１】特開２００２−３１８８５７号公報（図１〜３）
【発明の開示】
【発明が解決しようとする課題】
【０００３】
ところで、特許文献１に記載の喫煙管理システムでは、喫煙回数を喫煙者が自ら入力する必要があり、入力に手間を要する問題があった。また、喫煙者が入力を忘れ、或いは怠ることがあるため、正確な情報に基づいてフィードバックすることが容易でない問題があった。
【０００４】
本発明は、上記に鑑み、喫煙回数の入力に必要な手間を低減でき、且つ正確な情報に基づいたフィードバックが可能な喫煙管理システムを提供することを目的とする。
【課題を解決するための手段】
【０００５】
上記目的を達成するために、本発明の第１の視点に係る喫煙管理システムは、喫煙者による喫煙具の使用を検知して喫煙検出情報を生成し、無線データとして送信する喫煙検出情報生成手段と、
喫煙者の所定期間内の喫煙回数を含む喫煙履歴情報と該喫煙者の前記所定期間内の設定喫煙回数を含む喫煙設定情報とを少なくとも対応させて記憶する記憶手段と、前記喫煙検出情報生成手段から喫煙検出情報を受信すると、前記記憶手段から前記喫煙履歴情報を読み出して該喫煙履歴情報を更新する更新手段と、前記喫煙履歴情報の所定期間内の喫煙回数が前記設定喫煙回数に達したとき又は超えたときにはアラームを発生するアラーム発生手段とを有する携帯無線端末機と、
を備えることを特徴とする。
【０００６】
本発明の第２の視点に係る喫煙管理システムは、喫煙者による喫煙具の使用を検知して喫煙検出情報を生成し、無線データとして送信する喫煙検出情報生成手段と、
前記喫煙検出情報を受信すると、該喫煙検出情報に喫煙者ＩＤ情報を付加し、ネットワークを経由して送信する携帯無線端末機と、
喫煙者と、該喫煙者の所定期間内の喫煙回数を含む喫煙履歴情報と、前記喫煙者の前記所定期間内の設定喫煙回数を含む喫煙設定情報とを少なくとも対応させて記憶するデータベースを保有し、前記ネットワークを経由して携帯無線端末機から喫煙検出情報及び喫煙者ＩＤ情報を受信すると、該喫煙者ＩＤに基づいて前記データベースを検索する検索手段を有するサーバとを備え、
前記サーバは、前記喫煙検出情報に基づいて、前記喫煙履歴情報を更新する履歴情報更新手段と、該喫煙履歴情報の所定期間内の喫煙回数が前記設定喫煙回数に達したとき又は超えたときには、前記喫煙検出情報を送信した携帯無線端末機に向けてアラームを送信するアラーム送信手段とを有することを特徴とする。
【０００７】
本発明の第３の視点に係る喫煙管理システムは、所定位置に配置され、該所定位置が禁煙指定区域に含まれるか否かを示す禁煙指定情報を無線データとして発信する禁煙指定情報生成手段と、
喫煙者による喫煙具の使用を検知して喫煙検出情報を生成し、無線データとして送信する喫煙検出情報生成手段と、
前記禁煙指定情報を受信中に前記喫煙検出情報を受信するとアラーム発生するアラーム手段を備える携帯無線端末機と、
を備えることを特徴とする。
【０００８】
本発明の第４の視点に係る喫煙管理システムは、喫煙者による喫煙具の使用を検知して喫煙検出情報を生成し、無線データとして送信する喫煙検出情報生成手段と、
自身の現在地を取得する位置検出機能を有し、前記喫煙検出情報を受信すると、該喫煙検出情報に自身の現在地を付加して、ネットワークを経由して送信する携帯無線端末機と、
禁煙指定区域に関する情報を持つ地図情報を記憶するデータベースを保有し、前記ネットワークを経由して携帯無線端末機から喫煙検出情報及び現在地情報を受信すると、前記現在地情報に基づいてデータベースを検索する検索手段を有するサーバとを備え、
前記サーバは、前記携帯無線端末機の現在地が禁煙指定区域に含まれるか否かを判定する判定手段と、該判定手段による判定結果に従って、前記喫煙検出情報及び現在地情報を送信した携帯無線端末機に向けてアラームを送信するアラーム送信手段とを備えることを特徴とする。
【発明の効果】
【０００９】
本発明の第１及び第２の視点に係る喫煙管理システムによれば、最初に喫煙設定情報を入力しておけば、喫煙者が喫煙を行った際に、喫煙検出情報生成手段がこれを検知することによって、記憶手段又はデータベースの喫煙履歴情報を自動的に更新する。正確な喫煙履歴情報が格納されることによって、喫煙管理システムは、適切なタイミングで喫煙者に警告することができる。このため、喫煙管理にあたって、喫煙者が喫煙回数を入力する手間を省くことが出来ると共に、入力忘れ等による入力漏れを防止することが出来る。これによって、喫煙者の喫煙管理を効果的に行うことが出来る。
【００１０】
本発明の第１の視点に係る喫煙管理システムの好適な実施態様では、前記喫煙検出情報をキャンセルするためのデクリメント情報を生成するデクリメント情報生成手段を更に備える。また、本発明の第２の視点に係る喫煙管理システムの好適な実施態様では、前記携帯無線端末機は、前記喫煙者ＩＤ情報と共に送信した喫煙検出情報をキャンセルするためのデクリメント情報を生成し、前記喫煙者ＩＤと共に前記サーバに送信するデクリメント情報生成手段を備え、前記サーバは、該デクリメント情報を受信すると、前記喫煙者ＩＤに基づいて前記データベースを検索し、前記受信したデクリメント情報に基づいて前記喫煙履歴情報を修正する。喫煙以外の目的で喫煙具を使用した際に、喫煙検出情報をキャンセルすることができ、メモリ装置又はデータベースにより正確な喫煙履歴情報を格納することが出来る。
【００１１】
本発明の第２の視点に係る喫煙管理システムの好適な実施態様では、前記サーバは、前記喫煙検出情報を受信した時刻を記憶しており、前記喫煙検出情報を新たに受信すると、該新たに喫煙検出情報を受信した時刻と、１つ前に喫煙検出情報を受信した時刻との間の時間間隔を演算する演算手段と、該演算手段により演算された時間間隔と前記喫煙設定情報に含まれる設定時間間隔とを比較する比較手段とを有し、前記アラーム送信手段は、前記比較手段による比較結果に基づいてアラームを携帯無線端末機に送信する。喫煙者が、チェーン・スモークを行おうとした際に、自動的に通知することが出来る。
【００１２】
本発明の第２の視点に係る喫煙管理システムの好適な実施態様では、所定位置に配置され、該所定位置が禁煙指定区域に含まれるか否かを示す禁煙指定情報を発信する禁煙指定情報生成手段を更に備えており、前記携帯無線端末機は、前記禁煙指定情報及び喫煙検出情報を受信すると、アラームを発生する。喫煙者が、禁煙指定区域で喫煙しようとした際に、自動的に通知することが出来る。
【００１３】
本発明の第２の視点に係る喫煙管理システムの好適な実施態様では、前記態様に代えて、前記携帯無線端末機が、自身の現在地を取得する位置検出機能を備え、前記喫煙検出情報及び喫煙者ＩＤ情報に加えて自身の現在地情報を送信し、
前記データベースが禁煙指定区域の情報を記憶しており、
前記サーバは、前記喫煙検出情報及び現在地情報を受信すると、前記データベースを検索し、前記アラーム手段は、携帯無線端末機の現在地が禁煙指定区域に含まれる場合には、前記携帯無線端末機に向けてアラームを送信する。
【発明を実施するための最良の形態】
【００１４】
以下、図面を参照し、本発明に係る実施形態に基づいて本発明を更に詳細に説明する。図１は、本発明の第１実施形態に係る喫煙管理システムの構成を示すブロック図である。喫煙管理システム１００は、ユーザである喫煙者２の喫煙具１として構成され、喫煙者２の喫煙を検知する喫煙検出装置１０、喫煙者２が使用する携帯無線端末機２０、通信ネットワーク４０を介して携帯無線端末機２０に接続され、喫煙管理センタ３に設置された喫煙管理サーバ３０を備える。通信ネットワーク４０は、携帯無線端末機２０に接続される無線通信網と、この無線通信網に接続されたインターネットとから構成されている。
【００１５】
図２に喫煙検出装置の構成を示す。喫煙検出装置１０は、例えばシガレットケースやライターなど、喫煙者２が喫煙する際に必然的に使用する喫煙具１として構成される。喫煙検出装置１０は、喫煙検知機能１１、デクリメント機能１２、及び、無線発信機能１３を備える。
【００１６】
喫煙検知機能１１は、喫煙具１の使用を検知する機能を有し、喫煙具１の使用を検知した際に、喫煙検出情報を生成し、無線発信機能１３に受け渡す。デクリメント機能１２は、喫煙者２が押下可能なデクリメントボタンを備え、デクリメントボタンの押下によって、デクリメント情報を生成し、無線送信機能１３に受け渡す。無線送信機能１３は、無線送信部を備え、喫煙検知機能１１又はデクリメント機能１２から受け取った情報を限られたエリア内で無線で送信する機能を有する。
【００１７】
図３は、喫煙検出装置の一例の構成を示す斜視図である。喫煙検出装置１０は、シガレットケース６０として構成され、煙草６１が２０本入った紙箱６２を収容可能な中空の収容部６３を有するケース部６４を備える。ケース部の上面６４ａの側縁には、ケース部の上面６４ａに対して開閉可能な蓋６５が取り付けられている。
【００１８】
ケース部の上面６４ａには、蓋６５の近傍に、上下方向に可動のカウンタ部材６６が取り付けられている。カウンタ部材６６は、上方に付勢され、蓋６５が閉じられた状態で、蓋の下面６５ａによってケース部の上面６４ａよりも下側に押下され、蓋６５が開かれた状態で、ケース部の上面６４ａより僅かに上方に突出する。喫煙検知機能１１は、カウンタ部材６６の上昇を検知し、喫煙検出情報を生成する。
【００１９】
ケースの側面６４ｂには凹部６７が形成され、凹部６７の底面には、インクリメントボタン６８、デクリメントボタン６９、及び無線送信部７０が配設されている。インクリメントボタン６８、及びデクリメントボタン６９が凹部６７の底面に配設されるのは、喫煙者２が、シガレットケース６０を手にした際に、誤って押下されないようにするためである。インクリメントボタン６８が押下されると、喫煙検知機能１１が起動して、喫煙検出情報が生成される。インクリメントボタン６８は、喫煙者２が蓋６５を空けたまま継続して喫煙を行う際に、喫煙をカウント出来るように配設されている。
【００２０】
ケースの側面６４ｂの下部には、液晶表示部７１が配設され、喫煙検出情報又はデクリメント情報が生成された旨を画面上に表示し、これによって、喫煙者２は、喫煙検出装置１０の動作状況を確認することが出来る。なお、喫煙検出装置１０は、既製の喫煙具１に取り付けられる構成としてもよい。また、携帯無線端末機２０との間で有線で接続されても構わない。
【００２１】
図４に携帯無線端末機の構成を示す。携帯無線端末機２０は、例えば携帯電話であって、ウェブ通信機能２１、無線受信機能２２、アプリケーション（プログラム）２３、計時装置２４、アラーム発生機能２５、及び、メモリ装置２６を備える。
【００２２】
ウェブ通信機能２１は、通信ネットワーク４０を介して情報の送受信が可能である。無線受信機能２２は、喫煙検出装置１０が無線で送信した情報の受信が可能である。アプリケーション２３は、喫煙検出装置１０が送信した情報の受信、携帯無線端末機２０に対する喫煙者２の入力、又は、計時装置２４等によって起動し、予め設定された手順に従った処理を行う。計時装置２４は、時刻情報を出力する。アラーム発生機能２５は、アプリケーション２３の指令により、液晶表示画面への表示、音声、又は、振動等の手段によって、アラームを発生する。
【００２３】
メモリ装置２６には、喫煙履歴情報、銘柄情報、及び喫煙設定情報等の情報が格納される。喫煙履歴情報は、喫煙者２が喫煙した時刻、喫煙者２の１日の喫煙回数、及び毎日の喫煙回数等の情報であり、銘柄情報は、喫煙者２が喫煙する煙草の銘柄の情報である。喫煙設定情報は、喫煙者２が設定した、１日の最多喫煙回数及び最短喫煙時間間隔の情報である。最短喫煙時間間隔は、チェーン・スモークを防止するために設定される。
【００２４】
図５に喫煙管理サーバの構成を示す。喫煙管理サーバ３０は、喫煙管理センタ３の担当者によって使用され、ワークステーション等の情報処理装置から構成される。喫煙管理サーバ３０は、携帯無線端末機２０の機能を補完する目的で設置され、喫煙者２の喫煙状況や健康への影響等を詳細に記載した報告書を作成し、携帯無線端末機２０に対して送信する。喫煙管理サーバ３０は、ウェブ通信機能３１、ソフトウェア（プログラム）３２、計時装置３３、喫煙者情報データベース３４、及び、銘柄情報データベース３５を備える。
【００２５】
ウェブ通信機能３１は、通信ネットワーク４０を介して情報の送受信が可能である。ソフトウェア３２は、携帯無線端末機２０からの要求等に応じ、予め設定された手順に従った処理を行う。計時装置３３は、時刻情報を出力する。
【００２６】
喫煙者情報データベース３４には、喫煙者２ごとに、携帯無線端末機２０から受信した、喫煙履歴情報、銘柄情報、及び喫煙設定情報が表形式で格納されている。銘柄情報データベース３５には、たばこの銘柄ごとに、１本当りの料金、ニコチン量、タール量、及び健康情報等の情報が表形式で格納されている。健康情報は、喫煙の時間密度や回数と、健康への影響とが対比して記載された情報である。
【００２７】
図１の喫煙管理システムを用いた喫煙管理方法の手順について説明する。喫煙管理システム１００の利用に先立って、喫煙者２は、携帯無線端末機２０に対して初期設定を行う。初期設定では、携帯無線端末機２０に対する喫煙者２の入力によって、喫煙設定情報及び銘柄情報等の情報をメモリ装置２６に格納する。また、音声の種類やバイブレータの強度などのアラーム発生機能２５の設定を行う。初期設定は、喫煙者２の入力によって、適宜に変更することが可能である。
【００２８】
図６〜９は、喫煙管理システムの処理手順を示している。先ず、図６を参照する。喫煙者２が喫煙具１を使用することによって、喫煙検知機能１１が喫煙者２の喫煙を検知し、喫煙検出情報を生成する（ステップＳ１１）。また、生成した喫煙検出情報を無線送信機能１３に受け渡す。喫煙者２が、デクリメントボタンを押下することによって、デクリメント機能１２がデクリメント情報を生成する（ステップＳ１２）、また、生成したデクリメント情報を無線送信機能１３に受け渡す。
【００２９】
無線送信機能１３は、喫煙検知機能１１又はデクリメント機能１２から受け取った情報を無線で送信する（ステップＳ１３）。携帯無線端末機２０では、無線受信機能２２が、喫煙検出装置１０が送信した情報を受信する（ステップＳ１４）。無線受信機能２２が情報を受信すると、アプリケーション２３が起動する（ステップＳ１５）。
【００３０】
次いで、アプリケーション２３が、メモリ装置２６に記録されている喫煙者２の喫煙回数を読み出す（ステップＳ１６）。引き続き、アプリケーション２３が、喫煙回数の更新を行う。喫煙回数の更新は、喫煙検出情報を受信したときに、喫煙回数に１だけインクリメントを行い、デクリメント情報を受信したときに、喫煙回数に１だけデクリメントを行う（ステップＳ１７）。アプリケーション２３は、更新を行った新たな喫煙回数をメモリ装置２６に記録する（ステップＳ１８）。デクリメント情報を受信した場合には、また、メモリ装置２６に格納された前回の喫煙検出情報を削除し、処理を終了する。
【００３１】
次いで、アプリケーション２３は、計時装置２４を作動させ、今回喫煙検出情報を受信した時刻を読み出す。また、メモリ装置２６を参照することによって、前回喫煙検出情報を受信した時刻を読み出す。これらの時刻に基づいて、前回及び今回の喫煙検出情報を受信した時刻の間隔を算出する（ステップＳ１９）。
【００３２】
図７に、図６に後続する手順を示す。アプリケーション２３は、メモリ装置２６から喫煙設定情報の最短喫煙時間間隔を読み出し、前回及び今回の喫煙検出情報を受信した時刻の間隔が最短喫煙時間間隔以上か否かを判定する（ステップＳ２０）。最短喫煙時間間隔以上の場合には、今回喫煙検出情報を受信した時刻をメモリ装置２６に記録する（ステップＳ２１）。それ以外の場合には、アラーム発生機能２５を作動させて、喫煙者２への通知を行った（ステップＳ２２）後に、ステップＳ２１に進む。
【００３３】
次いで、アプリケーション２３は、メモリ装置２６から喫煙設定情報の最多喫煙回数を読み出し、新たな喫煙回数が最多喫煙回数以下か否かを判定する（ステップＳ２３）。最多喫煙回数以下の場合には、アプリケーション２３は終了する（ステップＳ２４）。それ以外の場合には、アラーム発生機能２５を作動させ、喫煙者２への通知を行った（ステップＳ２５）後に、ステップＳ２４に進む。
【００３４】
図８は、携帯無線端末機２０で、時刻が午前０：００になった際の手順を示している。午前０：００になった時に、計時装置２４が、アプリケーション２３を起動させる（ステップＳ３１）。アプリケーション２３は、メモリ装置２６に記録された１日の喫煙回数を読み出し、これをメモリ装置２６内の別のアドレスに記録する（ステップＳ３２）。次いで、１日の喫煙回数として０を記録する（ステップＳ３３）。引き続き、アプリケーション２３を終了する（ステップＳ３４）。なお、本実施形態では、喫煙回数を１日ごとに集計するものとしているが、集計は任意の期間で行ってよく、更に喫煙者２が自由に設定できるものとしてもよい。
【００３５】
図９は、喫煙者２が、携帯無線端末機２０で、メモリ装置２６に格納された情報を閲覧する際の手順を示している。先ず、喫煙者２が、携帯無線端末機２０に対して、メモリ装置２６に格納された情報の閲覧を希望する旨の入力を行うことによって、アプリケーション２３が起動する（ステップＳ４１）。引き続き、アプリケーション２３が、メモリ装置２６を参照して、所定の情報を抽出する（ステップＳ４２）。更に、メモリ装置２６から抽出された情報について、所定期間で合計や平均等の集計を行う（ステップＳ４３）。引き続き、抽出及び集計した情報を携帯無線端末機２０の画面上に表示し（ステップＳ４４）、アプリケーション２３が終了する（ステップＳ４５）。
【００３６】
図１０は、図１の喫煙管理システム１００で、携帯無線端末機２０と喫煙管理サーバ３０との間で行われる手順を示している。携帯無線端末機２０では、喫煙者２が、携帯無線端末機２０に対して、報告書の閲覧を希望する旨の入力を行うことによって、アプリケーション２３が起動する（ステップＳ５１）。次いで、アプリケーション２３が、報告書要求情報を生成し、ウェブ通信機能２１を介して、喫煙管理サーバ３０に向けて、喫煙者ＩＤ情報、報告書要求情報、喫煙履歴情報、及び、銘柄情報を送信する（ステップＳ５２）。
【００３７】
喫煙管理サーバ３０では、ウェブ通信機能３１が、喫煙者ＩＤ情報、報告書要求情報、喫煙履歴情報、及び、銘柄情報を受信し（ステップＳ５３）、これによってソフトウェア３２が起動する（ステップＳ５４）。ソフトウェア３２は、受信した喫煙者ＩＤ情報に基づいて、喫煙者情報データベース３４を検索し、喫煙者情報データベース３４で該当する喫煙者２のアドレスに、受信した喫煙履歴情報、及び、銘柄情報を格納する（ステップＳ５５）。
【００３８】
次いで、ソフトウェア３２が、喫煙者情報データベース３４を参照し、喫煙者２が喫煙する煙草の銘柄を読み出すと共に、喫煙者２の毎日の喫煙回数を読み出し、週、月、年等の所定期間で合計や平均等の集計を行う（ステップＳ５６）。引き続き、ソフトウェア３２が、銘柄情報データベース３５を参照し、喫煙者２が喫煙する煙草の銘柄の情報に基づいて、銘柄ごとの価格や健康情報等の情報を読み出す（ステップＳ５７）。
【００３９】
更に、所定期間で集計された喫煙回数や、銘柄情報データベース３５から読み出された銘柄ごとの価格や健康情報に基づいて、グラフ化等の処理を行うことによって、報告書を作成する（ステップＳ５８）。報告書には、例えば、日、週、月、及び年等の所定期間ごとの喫煙回数、所定期間あたりの平均喫煙回数、支出額、及び、これらの数値に基づいたグラフ等が記載される。
【００４０】
次いで、ソフトウェア３２は、ウェブ通信機能３１を介して、作成された報告書を携帯無線端末機２０に向けて送信し（ステップＳ５９）、ソフトウェア３２が終了する（ステップＳ６０）。携帯無線端末機２０では、ウェブ通信機能２１を介して、報告書を受信する（ステップＳ６１）。次いで、アプリケーション２３が、携帯無線端末機２０の画面上に報告書を表示し（ステップＳ６２）、アプリケーション２３が終了する（ステップＳ６３）。
【００４１】
本実施形態の喫煙管理システム１００によれば、喫煙者２が喫煙を行った際に、喫煙検出装置１０がこれを検知するので、喫煙者２が喫煙回数を入力する手間を省くことが出来ると共に、喫煙者２の入力忘れ等による入力漏れを防止することが出来る。また、喫煙管理装置１０が、デクリメント機能１２を備えることによって、喫煙以外の目的で喫煙具１を使用した際に、喫煙回数をデクリメントすることができ、正確な喫煙検出情報を格納することが出来る。正確な喫煙検出情報が格納されることによって、携帯無線端末機２０は、適切なタイミングでアラーム発生機能２５を作動させて、喫煙者２に警告することができる。これによって、喫煙者２の喫煙管理を効果的に行うことが出来る。
【００４２】
また、携帯無線端末機２０と、銘柄情報データベース３５を備える喫煙管理サーバ３０とを、通信ネットワーク４０を介して接続することによって、喫煙管理サーバ３０が詳細な報告書を作成し、喫煙者２の携帯無線端末機２０に送信することが出来る。喫煙者２は報告書を閲覧することによって、喫煙管理への意識を高めることが出来る。
【００４３】
なお、本実施形態では、携帯無線端末機２０を携帯電話で構成するものとしたが、ＰＤＡ等で構成することも出来る。また、デクリメント機能１２は、携帯無線端末機２０が備えても構わない。
【００４４】
喫煙管理サーバ３０は、携帯無線端末機２０のアプリケーション２３の機能やメモリ装置２６の容量に応じて、携帯無線端末機２０のアプリケーション２３の機能を補うように適宜に構成することが可能である。例えば、携帯無線端末機２０から喫煙管理サーバ３０に必要な情報を送信することによって、図６、７で携帯無線端末機のアプリケーション２３が行う手順を、喫煙管理サーバのソフトウェア３２が行っても構わない。この場合、ソフトウェア３２が、通信ネットワーク４０を介して、携帯無線端末機２０にアラーム情報を送信することによって、携帯無線端末機２０はアラーム発生機能２５を作動させることが出来る。
【００４５】
報告書は、通信ネットワーク４０に接続可能なＰＣ端末から閲覧可能に構成することも出来る。また、プライバシー保護の観点から、喫煙管理サーバ３０が、喫煙者ＩＤ情報と共にパスワードを受信することによって、喫煙者２の認証を行うものとしても構わない。
【００４６】
図１１は、本発明の第２実施形態に係る喫煙管理システムの構成を示すブロック図である。喫煙管理システム１０１は、図１に示した喫煙管理システム１００で、屋外等の所定位置５に設置され、所定位置５が禁煙指定区域に含まれるか否かを示す禁煙指定情報を発信する禁煙指定情報・発信装置５０を更に備える。禁煙指定区域は、例えば条例等で喫煙が禁止されている区域である。
【００４７】
図１２に禁煙指定情報・発信装置の構成を示す。禁煙指定情報・発信装置５０は、通信ネットワーク４０に接続されたウェブ通信機能５１、無線発信機能５２、及び、メモリ装置５３を備える。ウェブ通信機能５１は、通信ネットワーク４０を介して喫煙管理サーバ３０との間で情報の送受信が可能であり、喫煙管理サーバ３０から禁煙指定情報を受信し、メモリ装置５３に格納する。無線発信機能５２は、メモリ装置５３に格納された、禁煙指定情報を常に発信する。
【００４８】
本実施形態では、携帯無線端末機２０は、携帯無線端末機２０が存在する現在地情報を、通信ネットワーク４０を介して取得可能な現在地情報取得機能（位置検出機能）を更に備える。また、携帯無線端末機２０では、無線受信機能２２は、禁煙指定情報・発信装置５０の無線発信機能５２が発信した情報を受信することが出来る。
【００４９】
本実施形態では、喫煙管理サーバ３０には、図示しない禁煙指定情報データベースが格納されている。禁煙指定情報データベースには、禁煙指定情報・発信装置５０の設置位置と、その禁煙指定情報が表形式で格納されている。設置位置によって禁煙時間帯が設定されている禁煙指定情報・発信装置５０については、その時間帯の情報も記載されている。また、禁煙指定区域に関する地図情報が格納されている。ソフトウェア３２は、禁煙時間帯が設定されている禁煙指定情報・発信装置５０に対して、計時装置３３を利用することによって、禁煙開始時刻に、禁煙指定区域に含まれる旨の情報を、禁煙終了時刻に、含まれない旨の情報をそれぞれ送信する。
【００５０】
図１３に、図１１の喫煙管理システムを用いた喫煙管理方法の手順を示す。この喫煙管理方法では、図６のステップＳ１５に後続して、携帯無線端末機のアプリケーション２３が、禁煙指定情報・発信装置５０から、禁煙指定情報を受信しているかを判断する（ステップＳ７１）。禁煙指定情報を受信していない場合には、ステップＳ１６に進む。禁煙指定情報を受信している場合には、受信した禁煙指定情報を参照し、禁煙指定区域に含まれるか否かを判定する（ステップＳ７２）。禁煙指定区域に含まれない場合には、ステップＳ１６に進む。禁煙指定区域に含まれる場合には、アラーム発生機能２５を作動させることによって、喫煙者２への通知を行った（ステップＳ７３）後、ステップＳ１６に進む。
【００５１】
図１４に、図１１の喫煙管理システムを用いた別の喫煙管理方法の手順を示す。この喫煙管理方法では、図６のステップＳ１５に後続して、携帯無線端末機のアプリケーション２３が、現在地情報取得機能を作動させ、現在地情報を取得する（ステップＳ８１）。引き続き、アプリケーション２３が、ウェブ通信機能２１を介して、喫煙管理サーバ３０に向けて、喫煙検出情報及び現在地情報を送信する（ステップＳ８２）。
【００５２】
喫煙管理サーバ３０では、ウェブ通信機能３１が、喫煙検出情報及び現在地情報を受信し（ステップＳ８３）、ソフトウェア３２が起動する（ステップＳ８４）。ソフトウェア３２は、禁煙指定情報データベースで、禁煙指定区域の地図情報を参照し、携帯無線端末機２０の現在地が禁煙指定区域に含まれるか否かを判定する（ステップＳ８５）。禁煙指定区域に含まれない場合には、ソフトウェア３２が終了する（ステップＳ８６）。
【００５３】
禁煙指定区域に含まれる場合には、ソフトウェア３２は、アラーム情報を生成し、ウェブ通信機能３１を介して、携帯無線端末機２０に向けて送信する（ステップＳ８７）。これによって、ソフトウェア３２が終了する（ステップＳ８８）。携帯無線端末機２０では、ウェブ通信機能３１が、アラーム情報を受信する（ステップＳ８９）。次いで、アプリケーション２３が、アラーム発生機能２５を作動させる（ステップＳ９０）。喫煙者２は、アラーム発生機能２５の作動によって、禁煙指定区域にいることを知ることが出来る。
【００５４】
本実施形態の喫煙管理システムによれば、喫煙者２が禁煙指定区域で喫煙しようとした際に、喫煙者２に自動的に通知することが出来る。なお、禁煙指定情報・発信装置５０では、ウェブ通信機能５１は必須ではなく、禁煙指定情報・発信装置５０を設置する際に、予め禁煙指定情報をメモリ装置３３に記憶させることが出来る。
【００５５】
喫煙管理システム１０１では、喫煙管理サーバ３０が、屋内又は屋外の喫煙場所を示す喫煙場所情報データベースを備え、携帯無線端末機２０からの現在地情報の受信によって、喫煙者２に最寄の喫煙場所を検索して、携帯無線端末機２０に送信する構成を備えることも出来る。
【００５６】
以上、本発明をその好適な実施形態に基づいて説明したが、本発明に係る喫煙管理システムは、上記実施形態の構成にのみ限定されるものではなく、上記実施形態の構成から種々の修正及び変更を施した喫煙管理システムも、本発明の範囲に含まれる。
【図面の簡単な説明】
【００５７】
【図１】本発明の第１実施形態に係る喫煙管理システムの構成を示すブロック図である。
【図２】図１の喫煙検出装置の構成を示すブロック図である。
【図３】図２の喫煙検出装置の一例を示す斜視図である。
【図４】図１の携帯無線端末機の構成を示すブロック図である。
【図５】図１の喫煙管理サーバの構成を示すブロック図である。
【図６】図１の喫煙管理システムを用いた喫煙管理方法の手順を示すフローチャートである。
【図７】図６に後続する手順を示すフローチャートである。
【図８】図１の喫煙管理システムを用いた別の喫煙管理方法の手順を示すフローチャートである。
【図９】図１の喫煙管理システムを用いた別の喫煙管理方法の手順を示すフローチャートである。
【図１０】図１の喫煙管理システムを用いた別の喫煙管理方法の手順を示すフローチャートである。
【図１１】本発明の第２実施形態に係る喫煙管理システムの構成を示すブロック図である。
【図１２】図１１の禁煙指定情報・発信装置の構成を示すブロック図である。
【図１３】図１１の喫煙管理システムを用いた喫煙管理方法の手順を示すフローチャートである。
【図１４】図１１の喫煙管理システムを用いた別の喫煙管理方法の手順を示すフローチャートである。
【符号の説明】
【００５８】
１：喫煙具
２：喫煙者
３：喫煙管理センタ
５：所定位置
１０：喫煙検出装置
１１：喫煙検知機能
１２：デクリメント機能
１３：無線送信機能
２０：携帯無線端末機
２１：ウェブ通信機能
２２：無線受信機能
２３：アプリケーション
２４：計時装置
２５：アラーム発生機能
２６：メモリ装置
３０：喫煙管理サーバ
３１：ウェブ通信機能
３２：ソフトウェア
３３：計時装置
３４：喫煙者情報データベース
３５：銘柄情報データベース
４０：通信ネットワーク
５０：禁煙指定情報・発信装置
５１：ウェブ通信機能
５２：無線発信機能
５３：メモリ装置
６０：シガレットケース
６１：煙草
６２：煙草の紙箱
６３：収容部
６４：ケース部
６４ａ：ケース部の上面
６４ｂ：ケース部の側面
６５：蓋
６５ａ：蓋の内面
６６：カウンタ部材
６７：凹部
６８：インクリメントボタン
６９：デクリメントボタン
７０：無線送信部
７１：液晶表示部
１００，１０１：喫煙管理システム
【図１】
2006277365.tif 000003
【図２】
2006277365.tif 000004
【図３】
2006277365.tif 000005
【図４】
2006277365.tif 000006
【図５】
2006277365.tif 000007
【図６】
2006277365.tif 000008
【図７】
2006277365.tif 000009
【図８】
2006277365.tif 000010
【図９】
2006277365.tif 000011
【図１０】
2006277365.tif 000012
【図１１】
2006277365.tif 000013
【図１２】
2006277365.tif 000014
【図１３】
2006277365.tif 000015
【図１４】
2006277365.tif 000016